(57)【要約】【課題】いずれの抽選手段による抽選においても、大当りの権利発生又は大当り発生に対して大きな期待感をもつことができるパチンコ遊技機を提供すること。【解決手段】始動条件の成立により、複数段階の抽選手段１１，１２を備える可変入賞装置２の開閉部材１３，１４が開成して遊技球の可変入賞装置２への導入を許容し、可変入賞装置２内に導入された遊技球が特定領域１１a、１２aを通過することにより大当り又は大当りの権利が発生するパチンコ遊技機において、複数段階の抽選手段１１，１２の各々に特定領域１１a、１２aを設け、かつ、最終段階の抽選手段１２以外の抽選手段１１には、次の段階の抽選手段１２へ移行する移行領域１１cを設けた。【選択図】図２
2006025909.tif 000002
【特許請求の範囲】
【請求項１】
始動条件の成立により、複数段階の抽選手段を備える可変入賞装置の開閉部材が開成して遊技球の可変入賞装置への導入を許容し、該可変入賞装置内に導入された遊技球が特定領域を通過することにより大当り又は大当りの権利が発生するパチンコ遊技機において、前記複数段階の抽選手段の各々に特定領域を設け、かつ、最終段階の抽選手段以外の抽選手段には、次の段階の抽選手段へ移行する移行領域を設けたことを特徴とするパチンコ遊技機。
【請求項２】
前記複数段階の抽選手段のうちのいずれの特定領域への入賞に基づく大当り又は大当りの権利かによって、遊技者に付与される特典が異なることを特徴とする請求項１に記載のパチンコ遊技機。
【請求項３】
前記複数段階の抽選手段の各々に設けた特定領域に入賞した遊技球を、前記最終段階の抽選手段に設けた特定領域に設けた検出手段により検出することを特徴とする請求項１に記載のパチンコ遊技機。
【請求項４】
前記複数段階の抽選手段の各々に対応して、可変入賞装置内への遊技球の導入を許容する開閉部材を設けたことを特徴とする請求項１に記載のパチンコ遊技機。
【発明の詳細な説明】
【技術分野】
【０００１】
本発明は、始動条件の成立により、複数段階の抽選手段を備える可変入賞装置の開閉部材が開成して遊技球の可変入賞装置への導入を許容し、該可変入賞装置内に導入された遊技球が特定領域を通過することにより大当り又は大当りの権利が発生するパチンコ遊技機に関する。
【背景技術】
【０００２】
特許文献１には、いわゆる権利物と称される第３種パチンコ遊技機が記載されており、この特許文献１記載の第３種パチンコ遊技機は、複数段階の抽選手段を備えるとともに、それぞれの抽選手段に対応する、開閉部材によって開閉可能な導入口を備え、可変表示装置の停止した図柄が所定図柄となり始動条件が成立したとき、複数の抽選手段のうちのいずれの抽選手段の開閉部材を開成して導入口を開放するかを決定するようにした役物（可変入賞装置）を備えている。そして、この可変入賞装置は、第１段階の抽選手段（第１クルーン）の３つの穴のうち１つの穴を第２クルーンへの落下穴とし、他の２つの穴をはずれ穴としており、また、第２段階の抽選手段（第２クルーン）の３つの穴のうち１つの穴を第３クルーンへの落下穴とし、他の２つの穴をはずれ穴としている。第３段階の抽選手段（第３クルーン）においては、１つの穴を特定領域（大当りの権利を発生させる領域）とし、他の２つの穴をはずれ穴としている。したがって、第３クルーンの導入口を開放した場合に最も大当りの権利が発生しやすく、次に大当りの権利が発生しやすいのは第２クルーンの導入口を開放した場合であり、最も大当りの権利が発生しにくいのは第１クルーンの導入口を開放した場合となる。
【特許文献１】特開2001-276346公報
【発明の開示】
【発明が解決しようとする課題】
【０００３】
しかし、上記のような従来のパチンコ遊技機は、特定領域が第３クルーンに１つだけあるため、第３クルーンの導入口が開放された場合には、大当りの権利発生に対する遊技者の期待感はきわめて大きいといえるが、第２クルーンの導入口が開放された場合には、その期待感は薄れ、第１クルーンの導入口が開放された場合には、その期待感はきわめて小さいものになるといえる。
【０００４】
本発明は、第３種パチンコ遊技機のみに限らずいわゆる羽根物と称される第２種パチンコ遊技機にも適用されるものであるが、上記のような従来技術の問題点を解決し、いずれの抽選手段による抽選においても、大当りの権利発生又は大当り発生に対して大きな期待感をもつことができるパチンコ遊技機を提供することを目的とする。
【課題を解決するための手段】
【０００５】
本発明のパチンコ遊技機は、始動条件の成立により、複数段階の抽選手段を備える可変入賞装置の開閉部材が開成して遊技球の可変入賞装置への導入を許容し、該可変入賞装置内に導入された遊技球が特定領域を通過することにより大当り又は大当りの権利が発生するパチンコ遊技機において、前記複数段階の抽選手段の各々に特定領域を設け、かつ、最終段階の抽選手段以外の抽選手段には、次の段階の抽選手段へ移行する移行領域を設けたことを特徴とする。
【０００６】
本発明のパチンコ遊技機によると、複数段階の抽選手段の各々に特定領域を設けたため、いずれの抽選手段による抽選においても大当り発生又は大当りの権利発生に対する大きな期待感を遊技者がもてるようになる。また、最終段階の抽選手段以外の抽選手段に移行領域を設けたため、最終段階の抽選手段以外の抽選手段による抽選において大当り又は大当りの権利が発生しなかった場合であっても、次の段階の抽選手段による抽選において大当り又は大当りの権利が発生する可能性があり、遊技者に再度の大きな期待感をもたせることができる。
【０００７】
ここで、前記複数段階の抽選手段のうちのいずれの特定領域への入賞に基づく大当り又は大当りの権利かによって、遊技者に付与される特典が異なるようにすると、大当り又は大当りの権利発生に対する遊技者の期待感に抑揚もしくは大小をつけることができる。
【０００８】
また、前記複数段階の抽選手段の各々に設けた特定領域に入賞した遊技球を、前記最終段階の抽選手段に設けた特定領域に設けた検出手段により検出することにより、複数の特定領域に対して共通した検出手段で足りるため、コストの低減を図ることができる。
【０００９】
また、前記複数段階の抽選手段の各々に対応して、可変入賞装置内への遊技球の導入を許容する開閉部材を設けると、いずれの抽選手段の開閉部材が開成されるかによって大当り又は大当りの権利発生の確率が異なるようになるため、遊技者は大当り又は大当りの権利発生の確率の高い開閉部材の開成を期待するというように、遊技に対してメリハリがつくようになる。
【発明を実施するための最良の形態】
【００１０】
以下、本発明の実施形態を図面に基づいて説明する。
【００１１】
図１は、本発明の第１実施形態に係るパチンコ遊技機の正面図、図２は、図１図示のパチンコ遊技機の可変入賞装置の概念的構成図、図３は、本発明の第２実施形態に係るパチンコ遊技機の正面図、図４は、図３図示のパチンコ遊技機の可変入賞装置の概念的構成図をそれぞれ示す。
【００１２】
図１及び図２において、第１実施形態に係るパチンコ遊技機は、いわゆる羽根物と称される第２種パチンコ遊技機である。
【００１３】
このパチンコ遊技機は、遊技領域１の中央部に役物（可変入賞装置）２を備えるとともに、この可変入賞装置２の左下側及び右下側に２つの始動口（第１始動口３及び第２始動口４）を備える。
【００１４】
可変入賞装置２は、複数段階（本実施形態では上下２段階）の抽選手段、つまり第１クルーン（最終段階の抽選手段以外の抽選手段）１１と第２クルーン（最終段階の抽選手段）１２とを備えるとともに、各抽選手段１１，１２に対応した、駆動手段（図示せず）によって開閉動作をする開閉部材（第１開閉部材１３及び第２開閉部材１４）を備える。
【００１５】
第１開閉部材１３は、第１始動口３に遊技球が入賞した場合に所定時間例えば０．５秒開成し、遊技球を第１クルーン１１に導入可能にし、一方、第２開閉部材１４は、第２始動口４に遊技球が入賞した場合に所定時間例えば０．５秒開成し、遊技球を第２クルーン１２に導入可能にする。
【００１６】
第１クルーン１１は、大当り穴（特定領域）１１a、はずれ穴１１b、移行穴（移行領域）１１cからなる３種類の穴を有しており、第１開閉部材１３の開成によって第１クルーン１１に導入された遊技球が大当り穴１１aに入ると、大当り（最大継続ラウンド数を限度として第１開閉部材１３が開成状態となり、多くの遊技球が入賞して多数の賞球が払い出され、遊技者が特典を受けることができる状態）が確定し、遊技球がはずれ穴１１bに入るとはずれが確定し、遊技球が移行穴１１cに入ると、遊技球は誘導通路１５を通って第２クルーン１２に移行する。
【００１７】
第２クルーン１２は、大当り穴（特定領域）１２a、はずれ穴１２bからなる２種類の穴を有しており、第２開閉部材１４の開成によって第２クルーン１２に導入された遊技球、または、第１クルーン１１から誘導通路１５を通って第２クルーン１２に移行してきた遊技球が、大当り穴１２aに入ると大当りが確定し、一方、遊技球がはずれ穴１２bに入るとはずれが確定する。
【００１８】
なお、図１に示すように、大当り穴１１a、１２aを通過した遊技球は入賞通路１６，１７へ、はずれ穴１１b、１２bを通過した遊技球ははずれ穴用通路１８，１９へそれぞれ誘導され、各入賞通路１６，１７に設けた検出手段２０，２１によって遊技球が検出され、大当りが発生する。
【００１９】
このように、第１実施形態に係るパチンコ遊技機は、第２開閉部材１４の開成によって第２クルーン１２に導入された遊技球、あるいは第１クルーン１１から誘導通路１５を通って第２クルーン１２に移行してきた遊技球により、第２クルーン１２で大当りが発生する可能性がある。さらに、第１開閉部材１３の開成により導入された遊技球により第１クルーン１１で大当りが発生する可能性もある。このため、第１、第２クルーン１１，１２のいずれの抽選手段による抽選においても大当り発生に対する大きな期待感を遊技者がもてるようになる。
【００２０】
また、第１クルーン１１に第２クルーン１２への移行穴１１cを設けたため、第１クルーン１１による抽選において大当りが発生しなかった場合であっても、第２クルーン１２による抽選において大当りが発生する可能性があり、遊技者に再度の大きな期待感をもたせることができる。
【００２１】
また、第１、第２クルーン１１，１２の各々に対応して、可変入賞装置２内への遊技球の導入を許容する第１、第２開閉部材１３，１４を設けたため、第１、第２開閉部材１３，１４のうちのいずれの開閉部材が開成されるかによって大当り発生の確率が異なるようになる。このため、遊技者は大当り発生の確率の高い開閉部材つまり第１開閉部材１３の開成を期待するというように、遊技に対してメリハリがつくようになる。
【００２２】
また、上記第１実施形態の変形例として、第１クルーン１１で発生する大当りの最大継続ラウンド数と、第２クルーン１２で発生する大当りの最大継続ラウンド数とを異なる値に設定し、大当り状態における出球数（賞球数）に差異を設けるようにすると、大当り発生に対する期待感に抑揚をもたせることができる。
【００２３】
また、第１クルーン１１で大当りが発生した場合は、その大当り動作終了後の５回までに限り、始動口３，４への入賞による開閉部材１３，１４の開成時間を３秒に延長するような特定遊技モードを設け、第１クルーン１１で大当りが発生した場合と第２クルーン１２で大当りが発生した場合とで、大当り動作終了後の遊技モードを異ならせるようにしてもよい。
【００２４】
また、第１クルーン１１の大当り穴に入った遊技球を第２クルーン１２の大当り穴１２aまで誘導し、第２クルーン１２の大当り穴１２aの下部に設けた検出手段２１で検出するようにしてもよい。つまり、第１クルーン１１の大当り穴１１aに入った遊技球と第２クルーン１２の大当り穴１２aに入った遊技球を共通の検出手段２１で検出し、大当り穴１１a、１２aの違いによらない差異の無い大当りを発生させるようにしてもよい。
【００２５】
図３及び図４において、第２実施形態に係るパチンコ遊技機は、いわゆる権利物と称される第３種パチンコ遊技機である。
【００２６】
このパチンコ遊技機は、遊技領域１の中央部に役物（可変入賞装置）２を備え、この可変入賞装置２の上方に可変表示装置５を備える。可変表示装置５は、可変入賞装置２の左方の始動口６に遊技球が入賞したことを条件として図柄変動表示を開始し、停止図柄が所定図柄のとき、駆動手段（図示せず）が可変入賞装置２の開閉部材３１を駆動して開閉部材３１が所定時間開成し、遊技球が可変入賞装置２に導入可能になる。
【００２７】
可変入賞装置２は、複数段階（本実施形態では上下２段階）の抽選手段、つまり第１クルーン（最終段階の抽選手段以外の抽選手段）３２と第２クルーン（最終段階の抽選手段）３３とを備えるとともに、第１クルーン３２に対応した上記開閉部材３１を備える。
【００２８】
第１クルーン３２は、大当りの権利誘導穴３２a、はずれ穴３２b、移行穴（移行領域）３２cからなる３種類の穴を有しており、開閉部材３１の開成によって第１クルーン３２に導入された遊技球が大当りの権利誘導穴３２aに入ると、遊技球は誘導通路３４を通って第２クルーン３３の大当りの権利穴（特定領域）３３aに入り、大当りの権利が確定する。大当りの権利は、公知のように、大当り発生の前段階の権利であり、いわゆる右打ちと称される打ち方により回転体３５の入賞部３５aに遊技球が入賞することを条件として大当り（最大継続ラウンド数を限度として開閉部材４１が開成状態となり、多くの遊技球が入賞して多数の賞球が払い出され、遊技者が特典を受けることができる状態）を発生させる。遊技球がはずれ穴３２bに入った場合は、はずれが確定し、遊技球が移行穴３２cに入った場合は、遊技球は誘導通路３６を通って第２クルーン３３に移行する。
【００２９】
第２クルーン３３は、大当りの権利穴（特定領域）３３a、はずれ穴３３bからなる２種類の穴を有しており、第１クルーン３２から誘導通路３６を通って第２クルーン３３に移行してきた遊技球が、大当りの権利穴３３aに入ると大当りの権利が確定し、一方、遊技球がはずれ穴３３bに入るとはずれが確定する。
【００３０】
なお、図３に示すように、大当りの権利穴３３aを通過した遊技球は入賞通路３７へ、はずれ穴３２b、３３bを通過した遊技球ははずれ穴用通路３８，３９へそれぞれ誘導され、入賞通路３７に設けた検出手段４０によって遊技球が検出されることによって大当りの権利が発生する。
【００３１】
このように、第２実施形態に係るパチンコ遊技機は、第１クルーン３２の大当りの権利誘導穴３２aが第２クルーン３３の大当りの権利穴３３aに直通しているため、第１クルーン３２に導入された遊技球により第１クルーン３２で大当りの権利が発生する可能性がある。さらに、第１クルーン３２から誘導通路３６を通って第２クルーン３３に移行してきた遊技球により、第２クルーン３３で大当りの権利が発生する可能性がある。このため、第１、第２クルーン３２，３３のいずれの抽選手段による抽選においても大当りの権利発生に対する大きな期待感を遊技者がもてるようになる。
【００３２】
また、第１クルーン３２に第２クルーン３３への移行穴３２cを設けたため、第１クルーン３２による抽選において大当りの権利が発生しなかった場合であっても、第２クルーン３３による抽選において大当りが発生する可能性があり、遊技者に再度の大きな期待感をもたせることができる。
【００３３】
なお、上記第１、第２実施形態では、２段階の抽選手段１１，１２又は３２，３３を設けたが、本発明の複数段階の抽選手段は、２段階の抽選手段に限定されるものではなく、３段階以上の抽選手段であってもよい。３段階以上の抽選手段を設けた場合、第１段階の抽選手段に開閉部材を設けることは必須であるが、その他の段階の抽選手段に開閉部材を設けるかどうかは任意事項であり、必須ではない。
【図面の簡単な説明】
【００３４】
【図１】本発明の第１実施形態に係るパチンコ遊技機の正面図である。
【図２】図１図示のパチンコ遊技機の可変入賞装置の概念的構成図である。
【図３】本発明の第２実施形態に係るパチンコ遊技機の正面図である。
【図４】図３図示のパチンコ遊技機の可変入賞装置の概念的構成図である。
【符号の説明】
【００３５】
２    可変入賞装置
３，４，６    始動口
５    可変表示装置
１１，３１    第１クルーン（最終段階の抽選手段以外の抽選手段）
１２，３２    第２クルーン（最終段階の抽選手段）
１３，１４，３１    開閉部材
１１a、１２a    大当り穴（特定領域）
３２a    大当りの権利誘導穴（特定領域）
３３a    大当りの権利穴（特定領域）
１１c、３２c    移行穴（移行領域）
４０    検出手段
【図１】
2006025909.tif 000003
【図２】
2006025909.tif 000004
【図３】
2006025909.tif 000005
【図４】
2006025909.tif 000006